(57)【要約】【課題】  装置が異常状態である旨を使用者に効果的に認識させることが可能なプロジェクタ及びその制御方法を提供する。【解決手段】  プロジェクタの内部温度が所定温度Ｔ１以上になると、主制御部は、画像制御部に対して、画像信号に応じた画像の投写を停止するとともに、画像形成領域からの投写画像を単一色（例えば、黄色一色）とするよう指示をする。画像制御部は、前記指示を受け、自ら画像データを生成することにより、液晶ライトバルブの画像形成領域内の各画素の透過率を、投写画像が黄色一色となるように設定する。これにより、スクリーンの表示状態は、黄色一色の警告表示状態となる。その後、当該警告表示状態を一定時間（例えば、数秒）継続させた後、画像信号に応じた画像の投写を再開する。【選択図】  図４
2006330419.tif 000002
【特許請求の範囲】
【請求項１】
外部から入力される画像信号に応じて、光源から射出された光を変調する光変調装置を備え、前記光変調装置で変調された光を投写して、投写面に前記画像信号に応じた画像を表示するプロジェクタであって、
当該プロジェクタの異常を検知する異常検知手段と、
前記異常検知手段が異常を検知した際に、前記画像信号に応じた画像全体の表示状態を一時的に変更する警告表示手段と、
を有することを特徴とするプロジェクタ。
【請求項２】
請求項１に記載のプロジェクタであって、前記警告表示手段は、前記画像信号に応じた画像の表示を一時的に停止することを特徴とするプロジェクタ。
【請求項３】
請求項２に記載のプロジェクタであって、前記警告表示手段は、前記画像信号に応じた画像の表示を一時的に停止して、全体が単一色で構成された画像を表示することを特徴とするプロジェクタ。
【請求項４】
外部から入力される画像信号に応じて、光源から射出された光を変調する光変調装置を備え、前記光変調装置で変調された光を投写して、投写面に前記画像信号に応じた画像を表示するプロジェクタの制御方法であって、
前記プロジェクタの異常を検知する異常検知工程と、
前記異常検知工程で異常が検知された場合に、前記画像信号に応じた画像全体の表示状態を一時的に変更することにより前記異常を警告する警告表示工程と、
を有することを特徴とするプロジェクタの制御方法。
【発明の詳細な説明】
【技術分野】
【０００１】
本発明は、画像信号を入力し、当該画像信号に応じた画像を投写するプロジェクタ及びその制御方法に関する。
【背景技術】
【０００２】
光源から射出された光を変調し、スクリーン等に画像を投写するプロジェクタにおいて、温度異常等、装置に生じた異常を検知する異常検知手段を備えるとともに、前記異常を使用者に知らせる異常表示手段を備えたプロジェクタが知られている（例えば、特許文献１）。このようなプロジェクタは、ＬＥＤ（発光ダイオード）等からなるインジケータを異常表示手段として備えたり、投写画像の周縁部に警告を表す文字や記号等を合成したりして、使用者に対して警告を行うようになっている。なお、警告後も異常状態が継続する場合には、光源を強制的に消灯する等の安全処置が施される。
【０００３】
【特許文献１】特開平５−９３９５３号公報
【発明の開示】
【発明が解決しようとする課題】
【０００４】
しかしながら、インジケータの点灯や点滅による警告表示は、プロジェクタと使用者との位置関係によっては使用者に気付かれず、異常状態が放置される恐れがある。例えば、温度異常の警告が気付かれずに放置され、安全処置が施された場合には、使用者にとっては、光源が突然消灯することになり利便性が悪い。
また、投写画像の周縁部に文字や記号等を合成する警告方法では、投写状況により文字等がスクリーンの外に投写されてしまう恐れがある。特許文献１に記載のプロジェクタは、警告表示時にズーム状態を変更して、文字や記号がスクリーン上に表示されるようにしているものの、使用者は、文字等が表示されたことよりも、ズーム状態が変更されたことに対して困惑してしまうため、警告内容が十分に認識されにくいという問題を有している。
【０００５】
本発明は上記問題を鑑みてなされたものであり、その目的は、装置が異常状態である旨を使用者に効果的に認識させることが可能なプロジェクタ及びその制御方法を提供することにある。
【課題を解決するための手段】
【０００６】
本発明のプロジェクタは、外部から入力される画像信号に応じて、光源から射出された光を変調する光変調装置を備え、前記光変調装置で変調された光を投写して、投写面に前記画像信号に応じた画像を表示するプロジェクタであって、当該プロジェクタの異常を検知する異常検知手段と、前記異常検知手段が異常を検知した際に、前記画像信号に応じた画像全体の表示状態を一時的に変更する警告表示手段とを有することを特徴とする。
【０００７】
このプロジェクタによれば、異常検知手段がプロジェクタの異常を検知した際に、画像信号に応じた画像全体の表示状態を変更するため、プロジェクタが異常状態である旨を、使用者に対して効果的に認識させることが可能となる。
【０００８】
このプロジェクタにおいて、前記警告表示手段は、前記画像信号に応じた画像の表示を一時的に停止することが望ましい。
【０００９】
このプロジェクタによれば、異常検知手段が装置の異常を検知した際に、画像信号に応じた画像の表示を一時的に停止するため、装置が異常状態である旨を、さらに効果的に認識させることが可能となる。
【００１０】
このプロジェクタにおいて、前記警告表示手段は、前記画像信号に応じた画像の表示を一時的に停止して、全体が単一色で構成された画像を表示することが望ましい。
【００１１】
このプロジェクタによれば、警告表示として、全体が単一色で構成された画像を表示するため、装置が異常状態である旨を、効果的に認識させることが可能となるとともに、容易に生成可能な単一色画像を用いているため、警告用の画像を別途記憶しておく必要がない。
【００１２】
本発明のプロジェクタの制御方法は、外部から入力される画像信号に応じて、光源から射出された光を変調する光変調装置を備え、前記光変調装置で変調された光を投写して、投写面に前記画像信号に応じた画像を表示するプロジェクタの制御方法であって、前記プロジェクタの異常を検知する異常検知工程と、前記異常検知工程で異常が検知された場合に、前記画像信号に応じた画像全体の表示状態を一時的に変更することにより前記異常を警告する警告表示工程とを有することを特徴とする。
【００１３】
このプロジェクタの制御方法によれば、異常検知工程においてプロジェクタの異常を検知した際に、画像信号に応じた画像全体の表示状態を変更するため、プロジェクタが異常状態である旨を、使用者に対して効果的に認識させることが可能となる。
【００１４】
また、上述したプロジェクタ及びその制御方法が、プロジェクタに備えられたコンピュータ（ＣＰＵ）を用いて構築されている場合には、本発明は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００１５】
以下、本発明の実施形態に係るプロジェクタについて、図面を参照して説明する。本実施形態のプロジェクタは、外部から画像信号を入力し、前記画像信号に応じた画像の投写を行うものである。
【００１６】
図１は、本実施形態に係るプロジェクタの概略構成を示すブロック図である。
図１に示すように、プロジェクタ１には、画像の投写を行う投写光学系１０が備えられている。投写光学系１０は、光源としてのＬＥＤ光源１１と、光変調装置としての液晶ライトバルブ１２と、投写レンズ１３とを備えている。
【００１７】
ＬＥＤ光源１１は、マトリクス状に配列された複数のＬＥＤ（Light Emitting Diode：発光ダイオード）１１ａを有している。ＬＥＤ等の固体光源素子は、メタルハライドランプ等の放電型光源ランプに比べて、電源を含めて小型化が可能であるうえ、瞬時点灯・瞬時消灯が可能であること、消灯後すぐに再点灯させても光源に対する負担が小さいこと、色再現性が広く長寿命であること等、プロジェクタ用の光源素子として多くの利点を備えている。
【００１８】
液晶ライトバルブ１２には、複数の画素が形成されており、ＬＥＤ光源１１から射出した光を、画像信号に基づいて画素毎に変調することにより、画像信号に応じた光学像を形成する。液晶ライトバルブ１２で形成された光学像は、投写レンズ１３によって、スクリーンＳＣ等に向けて拡大投写される。
【００１９】
図２は、投写光学系１０の構成をより詳細に説明する説明図である。
図２に示すように、本実施形態のＬＥＤ光源１１は、それぞれ波長域の異なる３色（赤、緑、青）の色光Ｒ，Ｇ，Ｂを発する３つのＬＥＤ光源１１Ｒ，１１Ｇ，１１Ｂからなっている。各ＬＥＤ光源１１Ｒ，１１Ｇ，１１Ｂから射出した色光Ｒ，Ｇ，Ｂは、ミラー１４によって反射された後、それぞれ３つの液晶ライトバルブ１２Ｒ，１２Ｇ，１２Ｂを照明する。各色光Ｒ，Ｇ，Ｂは、液晶ライトバルブ１２Ｒ，１２Ｇ，１２Ｂによって色光毎に変調された後、クロスダイクロイックプリズム１５によって合成されて、カラーの光学像が形成される。この光学像が投写レンズ１３によって投写され、スクリーンＳＣに画像が表示される。
【００２０】
なお、それぞれ波長域の異なる３色（赤、緑、青）の色光Ｒ，Ｇ，Ｂを発する３つのＬＥＤ光源１１Ｒ，１１Ｇ，１１Ｂを用いる代わりに、白色光を発するＬＥＤ光源と、白色光を波長域の異なる３色（赤、緑、青）の色光Ｒ，Ｇ，Ｂに分離可能な色光分離部とを備え、ＬＥＤ光源から発した光を、色光分離部によって分離した後に、３つの液晶ライトバルブ１２Ｒ，１２Ｇ，１２Ｂに入射するようにしてもよい。
【００２１】
図１に戻って、プロジェクタ１には、ＣＰＵ等からなる主制御部２０が備えられており、主制御部２０には、主記憶部２１、操作部２２、光源駆動部２３、温度センサ２４、ファン駆動部２５、画像制御部２６が接続されている。
【００２２】
主制御部２０は、コンピュータとして機能し、主記憶部２１に記憶されている制御プログラムに従って、プロジェクタ１の動作を統括制御する。主記憶部２１は、フラッシュＲＯＭ（Read Only Memory）等のメモリによって構成され、前記制御プログラムを記憶するとともに、各種設定値等の記憶に用いられる。操作部２２には、電源のオン・オフや、画質の調整等、プロジェクタ１に対して各種操作を行うための複数のキー等が備えられており、使用者が操作部２２を操作すると、操作部２２は、操作内容に応じた操作信号を主制御部２０に出力する。
【００２３】
光源駆動部２３は、主制御部２０からの指示に基づいて、ＬＥＤ光源１１への電力供給を制御することにより、ＬＥＤ光源１１の点灯及び消灯を行うことができる。温度センサ２４は、サーミスタ等によって構成され、プロジェクタ１の内部温度を検出可能になっており、検出温度に応じた検出信号を主制御部２０に出力する。ファン駆動部２５は、主制御部２０からの指示に基づいて空冷ファン２７を駆動し、プロジェクタ１の内部を冷却することができる。なお、温度センサ２４や空冷ファン２７は、各々１つずつに限定されず、ＬＥＤ光源１１や液晶ライトバルブ１２等、温度管理が必要な部位毎に備えるようにしてもよい。
【００２４】
ここで、主制御部２０は、温度センサ２４からの検出信号に基づいて、プロジェクタ１の内部温度を認識し、空冷ファン２７による冷却を制御する一方、ＬＥＤ光源１１が点灯した状態で長時間が経過した場合等で、空冷ファン２７による冷却にも拘わらず内部温度が所定温度以上となるまで上昇した場合には、装置が異常状態であると判断する。つまり、温度センサ２４と主制御部２０とは、本発明の異常検知手段に相当する。
【００２５】
画像制御部２６は、レシーバ２８、ライトバルブ駆動部２９に接続されており、主制御部２０からの指示に基づいて、レシーバ２８に入力された画像信号に応じた画像を、投写光学系１０を用いて投写するための制御及び処理を行う。
【００２６】
外部から供給される画像信号は、レシーバ２８に入力し、画像制御部２６で処理可能な形式の画像データに変換される。
【００２７】
画像制御部２６は、レシーバ２８から入力した画像データに対して、解像度を液晶ライトバルブ１２の解像度（画素数）に合わせる解像度変換や、輝度調整、コントラスト調整、シャープネス調整等の各種画質調整、或いは、メニューやメッセージ等のＯＳＤ（オンスクリーンディスプレイ）画像を合成する処理を施し、ライトバルブ駆動部２９に出力する。
【００２８】
ライトバルブ駆動部２９は、入力した画像データに応じて、液晶ライトバルブ１２を駆動するための駆動信号を生成する。液晶ライトバルブ１２が、この駆動信号に応じて光源光を変調することにより、画像データに応じた光学像が投写レンズ１３から投写される。
【００２９】
ここで、液晶ライトバルブ１２の駆動方法について図面を用いて説明する。
図３（ａ）〜（ｄ）は、液晶ライトバルブ１２の駆動方法を説明する説明図であり、液晶ライトバルブ１２の正面図を示している。
【００３０】
図３（ａ）に示すように、液晶ライトバルブ１２、即ち液晶ライトバルブ１２Ｒ，１２Ｇ，１２Ｂのそれぞれには、複数の画素１２ｐがマトリクス状に配列された画素領域１２ａが備えられており、ライトバルブ駆動部２９からの駆動信号によって各画素１２ｐの透過率を調整することによって画像信号に応じた光学像（画像）が形成される。本実施形態の画素領域１２ａは、アスペクト比（Ａｘ：Ａｙ）が４：３となっており、アスペクト比が４：３の画像を表示する際には、画素領域１２ａの全体で画像を形成する。
【００３１】
一方、画素領域１２ａ内の一部の領域（以下、画像形成領域１２ｅという）を用いて画像を形成する際には、当該画像形成領域１２ｅ内に画像信号に応じた画像を形成するとともに、画像形成領域１２ｅの外側の領域（無効領域１２ｎ）に含まれるすべての画素１２ｐの透過率を最小値に設定する。
例えば、画素領域１２ａのアスペクト比（４：３）と異なるアスペクト比（１６：９等）の画像を表示する際には、図３（ｂ）に示すように、画素領域１２ａ中に、画像と同じアスペクト比を有する画像形成領域１２ｅを定め、当該画像形成領域１２ｅ内に画像を形成する。また、液晶ライトバルブ１２に形成する画像の大きさによって投写画像のサイズを変更する電子ズームを行う際には、図３（ｃ）に示すように、ズーム倍率に応じた大きさの画像形成領域１２ｅ内に画像を形成し、あおり投写による投写光の台形歪を抑制する際には、図３（ｄ）に示すように、あおり投写による投写光が矩形となるような台形状の画像形成領域１２ｅ内に画像を形成する。
【００３２】
次に、本実施形態のプロジェクタ１の動作について、図面を参照して説明する。
図４は、画像を投写中のプロジェクタ１の動作を説明するフローチャートである。プロジェクタ１は、画像信号に応じた画像を投写している間、温度センサ２４からの検知信号に応じて空冷ファン２７の制御を行う一方で、図４に示すフローに従った動作を行う。
【００３３】
図４に示すように、ステップＳ１０１では、主制御部２０は、温度センサ２４による検出温度が第１の所定温度Ｔ１以上か否かを判断する。第１の所定温度Ｔ１未満であれば、プロジェクタ１は正常動作中であると判断して当該ステップを繰り返し、第１の所定温度Ｔ１以上であれば、装置が異常状態であると判断してステップＳ１０２に移行する。
【００３４】
ステップＳ１０２に移行した場合には、主制御部２０は、投写画像を用いて使用者に対する警告表示を行う。具体的には、主制御部２０は、画像制御部２６に対して、画像信号に応じた画像の投写を停止するとともに、画像形成領域１２ｅからの投写画像を単一色（例えば、黄色一色）とするよう指示をする。画像制御部２６は、前記指示を受け、自ら画像データを生成してライトバルブ駆動部２９に出力することにより、液晶ライトバルブ１２Ｒ，１２Ｇ，１２Ｂの画像形成領域１２ｅ内の各画素１２ｐの透過率を、投写画像が黄色一色となるように設定する。これにより、スクリーンＳＣの表示状態は、黄色一色の警告表示状態となり、主制御部２０は、当該警告表示状態を一定時間（例えば、数秒）継続させた後、ステップＳ１０３に移行する。なお、主制御部２０の指示により警告表示を行う画像制御部２６、ライトバルブ駆動部２９、投写光学系１０が本発明の警告表示手段に相当する。
【００３５】
ステップＳ１０３では、主制御部２０は、画像制御部２６に指示をして、警告表示状態を終了し、画像信号に応じた画像の投写を再開するように指示をする。
【００３６】
ステップＳ１０４では、主制御部２０は、温度センサ２４からの検出温度が、第１の所定温度Ｔ１より高い第２の所定温度Ｔ２以上となったか否かを判断する。第２の所定温度Ｔ２未満である限り当該ステップを繰り返し、第２の所定温度Ｔ２以上になった場合には、ステップＳ１０５に移行する。
【００３７】
内部温度が第２の所定温度Ｔ２以上となり、ステップＳ１０５に移行した場合は、主制御部２０は、ＬＥＤ光源１１の点灯がこれ以上継続することは装置にとって危険であると判断し、光源駆動部２３に指示をしてＬＥＤ光源１１を消灯させた後、処理を終了する。
【００３８】
以上説明したように、本実施形態のプロジェクタ１によれば、以下の効果を得ることができる。
（１）本実施形態のプロジェクタ１によれば、画像全体（画像形成領域１２ｅからの投写画像全体）で警告表示を行っているため、内部温度が異常である旨を効果的に認識させることが可能となる。この結果、使用者は、ＬＥＤ光源１１の消灯までの間に、画像供給装置側での画像再生動作を停止したり、プロジェクタ１の動作を停止したりすることができるようになり、警告表示に気付かぬうちに、突然光源が消灯してしまう事態を避けることが可能となる。
【００３９】
（２）本実施形態のプロジェクタ１によれば、警告表示として、全体が単一色で構成された画像を表示するため、装置が異常状態である旨を、効果的に認識させることが可能となるとともに、容易に生成可能な単一色画像を用いているため、警告用の画像を別途記憶しておく必要がない。
【００４０】
（３）本実施形態のプロジェクタ１によれば、投写画像を用いて警告表示を行うため、動作状態等を使用者に報知するためのインジケータを備える必要がなくなり、装置を小型化することが可能となる
【００４１】
（変形例）
なお、本発明の実施形態は、以下のように変更してもよい。
・前記実施形態では、光源としてＬＥＤ光源１１を用いているが、超高圧水銀ランプやメタルハライドランプ等の放電型光源ランプを用いてもよい。
【００４２】
・前記実施形態では、プロジェクタ１の内部温度が所定温度以上になった場合（温度異常）の警告表示を説明したが、警告表示すべき異常は温度異常のみに限定されず、他の異常状態の警告表示にも適用可能である。例えば、光源を交換するためのカバーが開放状態で危険である旨を通知するために、本発明の警告表示を行うようにしてもよい。
【００４３】
・前記実施形態では、投写画像全体を単一色にすることによって警告表示を行っているが、警告表示は、単一色画像に限られず、任意の画像を用いることができる。また、表示色や画像の種類等によって異常内容を識別できるようにしてもよい。さらに、前記実施形態では、画像制御部２６が、単一色からなる警告表示を行うための画像データを生成しているが、予め主記憶部２１に記憶された警告用画像データを読み出して投写するようにしてもよい。
【００４４】
・前記実施形態では、警告表示を行う際に、画像信号に応じた画像の投写を停止しているが、必ずしも停止する必要はなく、前記画像の投写を継続したまま、画像全体をネガポジ反転したり、フィルタ処理等によって色調を変更したり等、画像全体の表示状態を変更すればよい。
【００４５】
・前記実施形態では、画像形成領域１２ｅからの投写画像全体の表示状態を変更するようにしているが、画素領域１２ａからの投写画像全体の表示状態を変更するようにしてもよい。
【００４６】
・前記実施形態では、温度異常による警告表示を行った後、プロジェクタ１の内部温度がさらに上昇した場合にＬＥＤ光源１１の消灯を行っているが、警告表示後、所定時間が経過した後にＬＥＤ光源１１を消灯するようにしてもよい。
【００４７】
・前記実施形態では、警告表示を１回のみ行っているが、時間を隔てて複数回の警告表示を行うようにしてもよい。
【００４８】
・前記実施形態では、透過型の液晶ライトバルブ１２を用いて光源光の変調を行っているが、反射型の光変調装置であるＬＣＯＳ（Liquid Crystal On Silicon）等を用いることも可能である。また、入射した光の射出方向を、画素としてのマイクロミラー毎に制御することにより、光源から射出した光を変調するＤＭＤ（テキサスインスツルメンツ社の登録商標）（デジタル・マイクロミラー・デバイス）等を用いることもできる。
【図面の簡単な説明】
【００４９】
【図１】プロジェクタの概略構成を示すブロック図。
【図２】投写光学系の構成をより詳細に説明する説明図。
【図３】（ａ）〜（ｄ）は、液晶ライトバルブの駆動方法を説明する説明図。
【図４】画像を投写中のプロジェクタの動作を説明するフローチャート。
【符号の説明】
【００５０】
１…プロジェクタ、１０…投写光学系、１１、１１Ｒ，１１Ｇ，１１Ｂ…ＬＥＤ光源、１２，１２Ｒ，１２Ｇ，１２Ｂ…液晶ライトバルブ、１２ａ…画素領域、１２ｅ…画像形成領域、１２ｎ…無効領域、１２ｐ…画素、１３…投写レンズ、１４…ミラー、１５…クロスダイクロイックプリズム、２０…主制御部、２１…主記憶部、２２…操作部、２３…光源駆動部、２４…温度センサ、２５…ファン駆動部、２６…画像制御部、２７…空冷ファン、２８…レシーバ、２９…ライトバルブ駆動部。
【図１】
2006330419.tif 000003
【図２】
2006330419.tif 000004
【図３】
2006330419.tif 000005
【図４】
2006330419.tif 000006